(57)【要約】【課題】  軸筒ないしキャップの尾端の開口部に有底筒状の飾りを嵌着した際に、開口部の内周縁と飾り冠の外周縁の間に目視ではっきりとわかる隙間ができにくくて、美観上好ましい筆記具を提供する。【解決手段】  軸筒ないしキャップの尾端の開口部に有底筒状の飾り冠が嵌着された筆記具において、開口部の奥底側内周面の垂直な被嵌着部の開口側には後向きテーパー部を形成し、飾り冠の先端側の垂直な嵌着部の尾端側には前向きテーパー部を形成し、この後向きテーパー部と前向きテーパー部が密着した状態で飾り冠を軸筒ないしキャップの尾端の開口部に嵌着する。【選択図】  図２
2007118341.tif 000002
【特許請求の範囲】
【請求項１】
軸筒ないしキャップの尾端の開口部に有底筒状の飾り冠が嵌着された筆記具において、該開口部の奥底側内周面の垂直な被嵌着部の開口側には開口端に向かって広がった後向きテーパー部が形成され、該飾り冠の先端側の垂直な嵌着部の尾端側には該後向きテーパー部とテーパー角度が同一の前向きテーパー部が形成され、該後向きテーパー部と前向きテーパー部が密着した状態で飾り冠が軸筒ないしキャップの尾端の開口部に嵌着されたことを特徴とする筆記具
【発明の詳細な説明】
【技術分野】
【０００１】
本発明は、軸筒ないしキャップの尾端の開口部に有底筒状の飾り冠が嵌着された筆記具に関するものである。
【背景技術】
【０００２】
筆記具は意匠的要素が重要視される商品であるので、インキの色と同系統の色に着色されたり、頂面にシャープペンシルの芯径を表示した飾り冠が軸筒ないしキャップの尾端の開口部に嵌着して観者の受ける印象を強調することかある。また、合成樹脂製の軸筒ないしキャップの尾端に成形時のゲートを設けた場合などは、ゲート跡を隠すために飾り冠を嵌着することがある。
【発明の開示】
【発明が解決しようとする課題】
【０００３】
図３は軸筒の後軸２の尾端に形成された開口部２１に飾り冠３を嵌着した従来例を示すが、開口部２１の内周面が被嵌着部２２であり、嵌着を確実にするためには被嵌着部２２には複数個の小さな縦リブが形成されている。そして、この開口部２１に有底筒状の飾り冠３を嵌着するが、縦リブが形成されていることもあって、軸筒などの尾端面を正面から見たときに、開口部２１の内周縁と飾り冠３の外周縁の間に目視ではっきりとわかる隙間Ｓができることがある。そして、このような隙間Ｓができると見苦しくて商品価値が大きく低下する。
【０００４】
そこで本発明は、軸筒ないしキャップの尾端の開口部に有底筒状の飾りを嵌着した際に、軸筒などの尾端面を正面から見たときに、開口部の内周縁と飾り冠の外周縁の間に目視ではっきりとわかる隙間ができにくくて、美観上好ましい筆記具を提供することを目的とする。
【課題を解決するための手段】
【０００５】
かかる目的を達成するために、本発明は、軸筒ないしキャップの尾端の開口部に有底筒状の飾り冠が嵌着された筆記具において、開口部の奥底側内周面の垂直な被嵌着部の開口側には開口端に向かって広がった後向きテーパー部を形成し、飾り冠の先端側の垂直な嵌着部の尾端側には後向きテーパー部とテーパー角度が同一の前向きテーパー部を形成し、この後向きテーパー部と前向きテーパー部が密着した状態で飾り冠を軸筒ないしキャップの尾端の開口部に嵌着する。
【発明の効果】
【０００６】
有底筒状の飾り冠を軸筒ないしキャップの尾端の開口部に嵌着するとき、開口部の後向きテーパー部と飾り冠の前向きテーパー部が密着するので、つまり、飾り冠の外周縁が開口部の後向きテーパー部に密着するので、軸筒などの尾端面を正面から見たときに、飾り冠と軸筒などの開口部との間の隙間はほとんど目立たなくなり、美観上好ましい筆記具とすることができる。
【発明を実施するための最良の形態】
【０００７】
以下に図面に基づいて発明を実施するための最良の形態を説明する。なお、本明細書において、筆記具本体はそのペン体側を「前」、その反対方向を「尾」ないし「後」とし、キャップは合口側を「前」、その反対方向を「尾」ないし「後」とする。図面は万年筆の軸筒に本発明を適用した例を示すが、図１において、キャップの蓋体５は円筒状であり、蓋体５の後端側に、クリップ９が取り付けられた有底筒状の尾栓部７が螺着されている。そして、キャップ内部には内筒８がスプリング８１で前端側に弾発された状態で配置されている。蓋体５内周面の先端近傍には係止突起５２が形成されている。そして、係止突起５２の少し尾端側には環状の凹溝５１が形成されており、凹溝５１にはリング状の摺動体６が嵌め込まれている。摺動体６は、エラストマーやシリコーンゴムのようなゴムなどの軟弾性体からなり、摺動体６の表面は自然状態において蓋体５の内周面から内側に少し突出しており、キャップを筆記具本体に着脱するときに、前軸１の外周面に沿って相対的に摺動して、適度の摺動抵抗が得られるようになっている。
【０００８】
筆記具本体の軸筒１０は合成樹脂で成形された前軸１と後軸２で構成されている。後軸２の先端開口は継ぎ手１１の後端部に着脱可能に螺着されている。そして、継ぎ手１１の先端開口には先口４が螺着されいる。継ぎ手１１には円環状の突部１１１が形成されており、前軸１と飾りリングを兼ねた金属リング１２は、継ぎ手１１の突部１１１と継ぎ手１１に螺着された先口４のテーパー部４３に続く段部４１で挟圧保持されている。金属リング１２の表面には被係止突起が形成されており、蓋体５の係止突起５２が金属リング１２表面の被係止突起を乗り越えるとキャップの嵌着が完了する。
【０００９】
先口４にはペン先４８と余剰インキを一時的に保留する機能を有するペン芯４９が嵌着されており、先口４尾端の突き刺し部４２に図示略のカートリッジ式インキ筒が接続され、インキ筒内のインキがペン芯４９を介してペン先４８に供給されて筆記に供される。インキ筒の交換は後軸２と継ぎ手１１の螺着を解除することにより行う。そして、後軸２尾端面の開口部２１には飾り冠３が嵌着されている。
【００１０】
開口部２１は、図２に示すように、その奥底側内周面の垂直部が被嵌着部２２であり、被嵌着部２２に続いて開口端に向かって広がった後向きテーパー部２３が形成されている。一方、飾り冠３は、有底筒状であり、前方が円筒状の嵌着部３１であるが、嵌着部３１に続いて開口部２１の後向きテーパー部２３と同一テーパー角度の前向きテーパー部３２が形成されている。そして、有底筒状の飾り冠３を後筒２尾端の開口部２１に嵌着するとき、開口部２１の後向きテーパー部２３と飾り冠６の前向きテーパー部３２が密着し、つまり、飾り冠３の外周縁Ｔが開口部２１の後向きテーパー部２３に密着するので、後軸２の尾端面を正面から見たときに、飾り冠３と後軸２の開口部２１との間の隙間はほとんど目立たなくなり、美観上好ましい筆記具とすることができる。
【図面の簡単な説明】
【００１１】
【図１】本発明実施例の正面図である。
【図２】同じく要部の断面図と底面図である。
【図３】従来例の説明図である。
【符号の説明】
【００１２】
１    前軸
１０    軸筒
１１    継ぎ手
１２    金属リング
２    後軸
２１    開口部
２２    被嵌着部
２３    後向きテーパー部
３    飾り冠
３１    嵌着部
３２    前向きテーパー部
４    先口
５    蓋体
５２    係止突起
６    摺動体
７    尾栓部
８    内筒
９    クリップ
【図１】
2007118341.tif 000003
【図２】
2007118341.tif 000004
【図３】
2007118341.tif 000005